【事件の表示】
　特願２００４−３４３２９１「情報再生装置」拒絶査定不服審判事件〔平成１７年　５月１２日出願公開、特開２００５−１２２８９３〕について、次のとおり審決する。
【結　論】
　本件審判の請求は、成り立たない。
【理　由】
１．手続の経緯
　本願は、平成１１年１２月２８日に出願された特願平１１−３７２６７２号（以下「原出願」という。）の一部を平成１６年１１月２９日に新たな特許出願としたものであって、平成１９年１２月６日付けの拒絶理由通知に対して平成２０年２月１２日付けで手続補正がなされたが、同年３月１１日付けで拒絶査定がなされ、これに対し、同年４月４日に拒絶査定不服審判が請求されるとともに、同日付けで手続補正がなされた。
　その後、平成２２年７月９日付けで前置報告書（特許法第１６４条第３項）を利用した審尋がなされ、同年９月８日付けで回答書が提出されたところ、同年１０月１８日付けで当審において拒絶の理由を通知し、これに対し、同年１２月１５日付けで手続補正がなされたものである。
　
２．本願発明
　本願の請求項１，２に係る発明は、平成２２年１２月１５日付けの手続補正により補正された特許請求の範囲の請求項１，２に記載された事項により特定されるとおりのものと認められるところ、その請求項１に係る発明（以下「本願発明」という。）は次のとおりである。
　
「【請求項１】
　記録媒体に記録された複数の画像を再生する再生部と、
　前記再生部で再生された複数の画像より、複数の縮小画を同一画面内に表示するデータを作成するデータ作成部と、
　複数の縮小画より選択を行う選択部又は選択の決定を行う決定部より入力された情報を受信するユーザインタフェース部と、
　前記再生部及び前記データ作成部を制御する制御部と、を有し、
　前記記録媒体には複数のタイトルが記録されており、前記タイトルは複数のチャプタを有し、
　前記制御部は、複数のタイトルの縮小画を同一画面内に表示するタイトル選択画面のデータを作成するよう前記データ作成部を制御し、また、複数のチャプタの縮小画を同一画面内に表示するチャプタ選択画面のデータを作成するよう前記データ作成部を制御し、
　前記制御部は、前記タイトル選択画面において、１つのタイトルが前記選択部により選択された後、所定時間経過した場合、前記ユーザインタフェース部に前記情報の受信が無くとも、選択された前記１つのタイトルを自動的に縮小画のまま
音声付きの通常再生で
　
３．引用例
　これに対して、当審において平成２２年１０月１８日付けで通知した拒絶の理由に引用した特開平１１−２０５７１８号公報（平成１１年７月３０日公開。以下「引用例１」という。）には、図面とともに以下の記載がある。なお、下線は当審で付した。
　
ア．「【０００１】
【発明の属する技術分野】本発明は、媒体に映像情報を記録し再生する装置に係わり、特に見たい映像を画面選択によって選び、その再生条件を設定するようにした
情報再生装置
【０００２】
【従来の技術】映像情報を記録した媒体を再生するシステムとして、古くからのＶＴＲの他、記録媒体に１２ｃｍの径の光ディスクを用いるビデオＣＤ等があり、最近になって同じ径で記録容量を約７倍に高めた光ディスクを用いるＤＶＤが登場した。
【０００３】ＤＶＤ再生装置において、見たい映像を先頭に表示する頭出しの操作は、例えば、
記録されている番組（ＤＶＤでは「タイトル」という。以下、この種のものを「タイトル」ということとする。）のそれぞれに与えた番号、タイトルを構成する複数のシーン（ＤＶＤでは「チャプタ」という。以下、この種のものを「チャプタ」ということとする。）のそれぞれに与えた番号及び映像の基本単位（コマ）であるフレームの番号の中から、見たい映像のタイトル番号、チャプタ番号及びフレーム番号を入力してディスク上の再生位置を定め、その位置から映像を再生することによって行なわれている
イ．「【００１１】
【実施例】＜実施例１＞本発明をＤＶＤシステムの再生装置に適用して実施した一実施例を説明する。
図１において、１は、指定したアドレスに対応するディスク上の位置から情報信号を再生するドライバ部、２は、ドライバ部１が出力する情報信号を一時記憶するバッファ部、３は、バッファ部２からの情報信号を映像及び音声毎に復号するデコーダ部、４は、デコーダ部３の動作中データを記憶するランダムアクセスメモリ（以下「ＲＡＭ」という）、５は、デコーダ部３出力の映像のディジタル信号をアナログ信号に変換するディジタル・アナログ変換器（以下「Ｄ／Ａ変換器」という）、６は、Ｄ／Ａ変換器５からの映像アナログ信号を画面に表示する表示装置、７は、デコーダ部３が出力する音声のディジタル信号をアナログ信号に変換するＤ／Ａ変換器、８は、ＤＡ変換器７からの音声アナログ信号を再生するスピーカを示す。
【００１２】更に、
同図において、９は、ドライバ部１、バッファ部２及びデコーダ部３の動作を制御するシステム制御部、１１は、ユーザの指示入力によって制御信号を発生し、同制御信号をシステム制御部９に伝送するユーザインタフェース部、１２は、システム制御部９の動作手順を指示するプログラム及びデータを予め格納したリードオンリーメモリ（以下「ＲＯＭ」という）、１３は、システム制御部９の動作中データを記憶するＲＡＭを示す。ドライバ部１、バッファ部２、デコーダ部３、システム制御部９、ユーザインタフェース部１１、ＲＯＭ１２及びＲＡＭ１３は、バス線１０によって相互に接続されている。
【００１３】
デコーダ２は、映像信号の復号に際して画面の大きさを縮小する機能を有するものを使用した。
【００１４】
ＲＯＭ１２には、システム制御部９のための通常の制御プログラムや制御データのほか、本発明による選択画面表示プログラム１２１と、再生する映像に重ねて表示する画面〔以下「ＯＳＤ（On Screen Diplay）画面」という〕のデータがＯＳＤデータ１２２として格納されている。また、後で詳述するが、ＲＡＭ１３には、ディスクに記録されている映像のタイトルの再生開始位置を示すアドレスデータとチャプタの再生開始位置を示すアドレスデータを記憶するアドレスデータ領域１３１と、画面表示のためにビットマップデータに変換されたＯＳＤデータを記憶するＯＳＤワーク領域１３２が設けられている。更に、ＲＡＭ４には、ＯＳＤビットマップデータと映像のデータとを合成してなる選択画面のデータを収容する表示画面領域４０１が設けられている。
【００１５】
ユーザインタフェース部１１は、ユーザが指示を入力するリモートコントロールユニット（以下「リモコン」という）と、リモコンが生成する制御信号を再生装置に伝えるための赤外線伝送路とからなる。
【００１６】リモコン２０１の入力釦は、ディスクの再生を行なわせるための再生釦２２、
見たい映像を選択するときに使用する一覧釦２３、一覧釦２３を押して表示される画面（選択画面）から映像を選択して決定するための決定釦２５
画面の中の映像や記号を選択するときに使用するカーソル釦２７からなる。ユーザ指示による制御信号は、ユーザがこれらの釦を押すことによって発生する。また、カーソル釦２７には、選択する部分を画面上で矢印に従って上下、左右に移動させるための釦が置かれる。
【００１７】本発明の選択画面表示プログラム１２１（図１参照）を起動して得られる選択画面の一例を図３に示す。
選択画面１７には、ディスクに収容されているタイトルのそれぞれの記号が画面上部の枠(以下「タグ」という)１８に番号で示され、タイトルが有する各チャプタの開始画面１９が縮小されて配置される。以下、縮小された画面を小画面という。
【００１８】次に、本発明の選択画面表示プログラム１２１に従ってシステム制御部１１が実行する処理を図４に示したフローチャートを参照して説明する。
処理は、ＤＶＤディスクに記録されている映像の全タイトル及び全チャプタの再生開始位置を示すアドレスデータがＲＡＭ１３のアドレスデータ領域１３１に記憶されてから開始する。
【００１９】なお、以下では、デイスクに収容されているタイトルの番号をｎ、同タイトルの有するチャプタの番号をｍで表わす。
【００２０】ユーザが
リモコン２０１の一覧釦２３を押すと（Ｓ４１）、一画面に表示されるタグ数（図３の例では４）のＯＳＤ画面データがＲＯＭ１２のＯＳＤデータ１２２から取り出され、画面表示のためのビットマップデータに変換されてからＲＡＭ１３のＯＳＤワーク領域１３２に転送される（Ｓ４２）。格納された同ＯＳＤ画面データは、続いてデコーダ３に送られる（Ｓ４３）。デコーダ３は、受けたデータを表示画面領域４０１に収める（Ｓ４４）。このときデコーダ３には、ディスクに記録されているタイトルの数と、選択画面に採用する小画面映像の輝度レベルの規定値が知らされる。再生が開始されて上昇する輝度レベルが規定値に達したとき、そのときの１フレーム分の小画面映像がチャプタの開始画面として選択画面に採用される。また、デコーダ３は、知らされたタイトル数に基づいてタグに順にタイトル番号の数字を入れ、そのデータを表示画面領域４０１に収容する。なお、タイトル番号を表わす記号を数字にしたのは一例であって、意図に応じてその他の任意の記号や簡単な名称を採用可能であることは云うまでもない。
【００２１】
続いて、最初のタイトル（ｎ＝１）の最初のチャプタ（ｍ＝１）のアドレスデータがアドレスデータ領域１３１から取り出されてドライバ部１とデコーダ部３に送られる（Ｓ４５）。ドライバ部１は、アドレスデータに対応するディスクの再生開始位置から情報の再生を開始する（Ｓ４６）。デコーダ３は、再生信号の映像を縮小し、その小画面映像データを表示画面領域４０１に収める。このとき、小画面映像が選択画面においてチャプタ番号（ｍ＝１）に対応する位置（図３の１９ａ）に置かれるよう、小画面映像データは、表示画面領域４０１の所定の位置に収められる。
【００２２】
その後、同様の処理によって次のチャプタ（ｍ＝２）の小画面映像をチャプタ番号の位置（同図の縮小画面１９ｂ）に配置し、そのデータを表示画面領域４０１に収める。このようにして、各チャプタの小画面がそれぞれの位置に置かれ、最初のタイトルの選択画面が表示画面領域４０１において完成する（Ｓ４７）。
【００２３】
次に、ユーザがカーソル釦２７を押して数字ｎのあるタグ、即ちｎ番目のタイトルを選択した場合（Ｓ４８）、そのタイトルの各チャプタの小画面がそれぞれの位置に置かれ、処理Ｓ４５〜処理Ｓ４７が行なわれて選択されたタイトルの選択画面が完成する。
【００２４】
ユーザは、カーソル釦２７を操作して画面を選択すると（Ｓ４９）、選択された画面の境界線が太線になり、選択されたことが明示される。
【００２５】前記したように、図３は、ｎ＝２が選択され、ｍ＝２が選択された場合の選択画面を示している。
ユーザの見たい映像がこのチャプタである場合、ユーザは、リモコン２０１の決定釦２５を押す。それによって選択操作解除のコマンドがデコーダ部３に送られ、同チャプタのアドレスデータがドライバ部１に送られる（Ｓ５０）。
【００２６】
同コマンドを受けたデコーダ部３は、ＯＳＤ画面データを消去すると共に画面縮小の操作を解除し、一方、ドライバ部１は、対応するチャプタの情報を再生する。これによって画面一杯にチャプタの映像が表示され（Ｓ５１）、処理が終了する。
【００２７】本実施例はＤＶＤディスクを対象としたが、
本発明は、それに限らず、番組データを予め記録したものであれば、その他のデイスク、更にはテープ状の記録媒体に適用可能であり、同様の効果を得ることができる。
前記した選択画面は、番組データの記録されているどの記録媒体に対しても共通に得られる
【００２９】また、タイトル毎に複数チャプタを一覧することができ、更に、釦操作によって直ちにタイトルの選択が行なわれるので、
ディスクに収録されている番組の全体構成を容易に知ることができる。
ウ．「【００７４】また、
代表小画面を表示する画面そのものを１個の映像ファイルとすることもできる。
【００７５】更に、ストリームの代表小画面をそのストリームの中又はそのストリームの近傍に配置し、ストリームとその代表小画面を１対１に対応させて、各ストリームの代表小画面を集め、選択画面を構成することもできる。この場合は、ストリームを削除したり追加したりしたときでも、各ストリームの代表小画面を集めて選択画面を新規に構成するので、選択画面を１個の映像ファイルにした場合に比べて、ストリームの追加や削除を容易に行なうことができる効果がある。
【００７６】
【発明の効果】本発明によれば、番組のそれぞれに与える記号と選択された記号の番組の有する複数のシーンの開始小画面とが一画面に同時に表示されるので、
記録されている内容の一覧を容易に行なうことができ、見たい映像の選択と決定を簡単な操作によって実行することができる。操作は、記録媒体によらずに共通
　
　上記摘示事項及び図面の記載（特に上記「イ．」及び図１）を総合参酌すると、引用例１には次の発明（以下「引用発明１」という。）が記載されているものと認める。 なお、ここで、「画像」とは、上記「ウ．」に記載されているとおり、映像ファイルすなわち動画データを含むものと認める。
　
　「ＤＶＤディスクに記録された複数の画像を再生する、ドライバ部、バッファ、デコーダ部、映像Ｄ／Ａ、表示装置、音声Ｄ／Ａ、スピーカ等の構成と、
　当該複数の画像より、複数の縮小画を同一画面内に表示するデータを作成する、デコーダ部、ＲＡＭ４、ＲＯＭ（選択画面表示プログラム，ＯＳＤデータ）、ＲＡＭ１３（アドレスデータ領域，ＯＳＤワーク領域）等の構成と、
　複数の縮小画より選択を行うカーソル釦又は選択の決定を行う決定釦より入力された情報を受信するユーザインタフェース部と、
　前記ＤＶＤディスクに記録された複数の画像を再生する構成及び前記データを作成する構成を制御するシステム制御部と、を有し、
　前記ＤＶＤディスクには複数のタイトルが記録されており、前記タイトルは複数のチャプタを有し、
　前記システム制御部は、選択画面表示プログラムに従って、選択画面を作成するものであって、
　選択画面には、ＤＶＤディスクに収容されているタイトルのそれぞれの記号が画面上部の枠（タグ）に番号で示され、タイトルが有する各チャプタの開始画面が縮小表示された小画面が配置され、
　ユーザが、カーソル釦を押して数字ｎのあるタグ、すなわちｎ番目のタイトルを選択した場合、そのタイトルの各チャプタの小画面がそれぞれの位置に置かれ、
　ユーザが、カーソル釦を操作して画面を選択すると、選択された画面の境界線が太線になり、選択されたことが明示され、決定釦が押されるとそのチャプタの情報を再生する、情報再生装置。」
　
　同じく、当審において平成２２年１０月１８日付けで通知した拒絶の理由に引用した特開平８−７９７０８号公報（平成８年３月２２日公開。以下「引用例２」という。）には、図面とともに以下の記載がある。なお、下線は当審で付した。
　
エ．「【０００１】
【産業上の利用分野】本発明は、ＣＤ−ＤＡ（デジタルオーディオコンパクトディスク）やビデオＣＤ等を複数枚収納して選択的に再生することのできる再生装置に関するものである。」
オ．「【０００６】
【課題を解決するための手段】本発明はこのような問題点を解消するとともに、特にビデオＣＤなどの映像が記録されたディスクについてはその映像内容がわかるようにすることが好適なため、
収納された各ディスクについて映像を抽出し、各ディスクの内容を一覧表示するダイジェスト映像を得る
【０００７】このため、複数の収納位置のそれぞれに、映像又は音声データが記録されたディスクを収納し、選択的に再生を行なうことができる再生装置において、収納された各ディスクから映像データを読み出し、読み出された各映像データを用いて、
それぞれのディスクからの映像が一画面内で表示されるダイジェスト映像データを生成して出力することができる映像出力制御手段を備える
【０００８】ここで、ダイジェスト映像データは、ディスクから読み出された映像データを縮小するとともに、この縮小映像データを、読み出したディスクの収納位置に対応して設定された一画面内の所定の表示位置における映像データとして用いて生成するようにする。即ち、
ダイジェスト映像データの１画面内で各ディスク収納位置に応じた表示位置を設定し、それぞれの表示位置に、各ディスク収納位置に搭載されているディスクからの映像を示すようにする。
【０００９】また、
映像出力制御手段は、
所定時間以上にわたって再生などの何らかの動作が行なわれなかった時点で、ダイジェスト映像データの生成及び出力動作を実行するようにする。
カ．「【０１７５】オールディスクダイジェストのためのシステムコントローラ５３の処理を図６に示す。電源オンとされると(F100)、システムコントローラ５３はまず内部のタイマーをリセットし、カウントスタートさせる(F101)。このタイマー処理は、オールディスクダイジェスト動作の実行判別を行なうためのものである。もし、電源オンの状態で
なんらユーザーの操作が行なわれずに設定されたタイマー時間が経過すると、自動的にオールディスクダイジェスト動作を開始する
【０１７６】タイマー時間が経過する前に何らかの操作が行なわれた場合は、まずそれがオールディスクダイジェスト操作であるか否かを判別する(F103)。オールディスクダイジェスト操作とは、ユーザーがダイジェストキー２０を押した場合である。ダイジェストキー２０が押された場合とは、ユーザーがオールディスクダイジェスト動作を要求した場合であり、従ってオールディスクダイジェスト動作を開始する (F103→F107) 。
【０１７７】再生、ディスク選択などの他の操作であった場合は、操作に応じた所要の動作処理を実行し(F104)、その動作が終了したらステップF101に戻る。即ちこの実施例では、ユーザーがオールディスクダイジェスト操作を行なった場合か、もしくは
何等動作が行なわれないまま所定時間経過したときに、オールディスクダイジェスト動作が開始されるものとなる。
キ．「【０２００】このようにオールディスクダイジェスト表示が実行されることで、ユーザーは装填されている各ディスクを一覧して認識することができる。このため、例えばオールディスクダイジェスト表示を見ながら再生させたいディスクのナンバーを確認し、ディスク選択キー９で選択して再生させることができる。従って再生させたいディスクのナンバーが分からずに、各ディスクを再生していって所望のディスクを探していくという煩雑な操作は必要なくなる。また、
このオールディスクダイジェスト表示はユーザーが要求した場合のみでなく、動作がなされていない状態で自動的に行なわれるため、ユーザーは特にダイジェスト操作を行なわなくてもディスク内容を確認できる。
ク．「【０２１９】また、オールディスクダイジェストとしての動作を説明したが、ほぼ同様の方式で図５（ａ）のように１枚のディスクについて各トラックの先頭のＩピクチャーを取り出してディスクダイジェスト画面を表示したり、図５（ｂ）のように或るトラック内でいくつかのＩピクチャ−を取り出してトラック内容が大まかに分かるようなダイジェスト表示を行なうようにすることも考えられる。」
ケ．「【０２２１】このオールディスクダイジェスト表示時の早送り動作としての第１の動作例を図９、図１０、図１１を用いて説明していく。今、再生装置１に５枚のビデオＣＤが収納されているとし、上述したオールディスクダイジェスト動作により、モニタ装置では図１０（ａ）のような表示が実行されているとする。この状態を図９ではステップF400として示している。
【０２２２】この時点で例えばユーザーが早送り操作を行なうと、システムコントローラ５３の処理は図９のステップF400からF401を介してF402に進む。なお、この場合の早送り操作のための操作キーとしては、例えば前方頭出しキー１１を用いるようにすればよい。また、
早送り操作が行なわれなくても、オールディスクダイジェスト表示を行なって所定時間経過したら自動的にステップF402からの処理に進むようにしてもよい。
【０２２３】ここで、収納位置３０x にディスクが存在するか否かを判別し(F404)、ディスクが存在する場合、つまりローディングができた場合はディスクを起動する(F405)。ディスク有無の検出はローディング位置におけるセンサ手段で検出するか、もしくは、このフローでは処理順序が逆になるが、起動してみてＴＯＣが読めたか否かでディスク有無を判別するようにすればよい。ディスクが無かった場合はステップF413に進み、次のディスクに対する処理に移る。
【０２２４】ステップF405のディスクを起動処理としては、スピンドルモータ３３を起動してディスクを回転させるとともに、光学ヘッド３４からレーザ照射を開始させる。そして、このときのディスクから読み取られた情報により、ディスクの判別を行なう(F405)。ディスクの判別は前述した図７の処理で行なう。
【０２２５】図７の処理でディスク判別がなされたらステップF407に進み、そのディスクがビデオＣＤであった場合は、
ステップF408に進んで、そのディスクからのデータ読取を実行する。このデータ読取は早送り再生の処理となる。
【０２２６】ステップF408からの早送り再生としては、システムコントローラ５３は光学ヘッド３４の動作として、図１１に模式的に示すような動作を実行させる。早送り再生時には、ディスクから離散的にＩピクチャーを抽出して、これを表示させるものである。このため、図１１のように
通常再生動作を実行させてディスク３０からＩピクチャーを探し出す。
【０２２７】ステップF408のディスクデータ読取動作は、即ちＩピクチャーを探すための動作となる。なお、
この読取時には通常の再生時と同様の読取を行なう
コ．「【０２２９】次にシステムコントローラ５３は光学ヘッド３４に所定トラック数のトラックジャンプを実行させ、トラックジャンプが終了したらステップF408に戻って再び次のＩピクチャーの読込及び音声出力を実行させる。そしてＩピクチャーがデコードできれば、同様にステップF411に進んで、Ｉピクチャーデータを縮小して表示位置ＡＲ１にペーストする。これによりオールディスクダイジェスト映像が図１０（ｃ）のように変化する。
【０２３０】以降同様にトラックジャンプと読取動作を繰り返し、読み取られたＩピクチャーデータを縮小して表示位置ＡＲ１にペーストしていく処理を繰り返すことになる (F408〜F412) 。以上の動作により、オールディスクダイジェスト映像は図１０（ａ）→（ｂ）→（ｃ）→・・・・→（ｄ）と変化していく。つまり、
オールディスクダイジェスト映像内で、第１のディスクに対応する表示位置ＡＲ１のみが第１のディスクからの早送り映像として出力されることになる。また、このとき離散的に通常速度の音声も再生出力されている。
このとき、第２〜第５のディスクに対応する表示位置ＡＲ２〜ＡＲ５については、映像は変化していない。
サ．「【０２４３】なお、この図１２の動作例でも、ビデオＣＤであった場合のみでなく、ユーザーに指定されたディスクがＣＤ−Ｇや音声データのみのＣＤ−ＤＡであった場合でも、映像又は音声の早送り再生を行なうようにしてもよい。さらに、指定されたディスクについてリードアウトに達するまで早送り再生を実行するのではなく、ディスクの途中まで早送り再生した時点で自動的に終了させたり、ユーザー操作に基づいて早送り再生を終了させるようにしてもよい。
また、早送り再生速度をユーザーが可変操作できるようにしてもよい。
【０２４４】
【発明の効果】以上説明したように本発明の再生装置は、収納されたそれぞれのディスクからの映像が一画面内で表示されるダイジェスト映像データを生成し出力することにより、接続されたモニタ装置上の
ダイジェスト映像でユーザーは各ディスクの内容を確認できるという効果がある。
操作性は大きく向上する。また、ダイジェスト映像は映像データを一覧表示するため、このユーザーは各ディスクの内容をまとめて瞬時に認識できるという利点も得られる。
【０２４５】また、ダイジェスト映像データの１画面内で各ディスク収納位置（ディスクナンバ）に応じた表示位置が設定されることで、各表示内容と各ディスクの対応がユーザーにとって容易に理解されるという効果が得られる。
【０２４６】また、
ダイジェスト映像出力は、それを求める操作がなされた時点に行なうだけでなく、所定時間以上にわたって再生などの何らかの動作が行なわれなかった時点に行なうようにしているため、この場合ユーザーは自動的に実行されたダイジェスト映像を見ながら操作を行なうことができる。
　
４．対比
　本願発明と引用発明１とを対比する。
　引例発明１の「ＤＶＤディスク」は、本願発明の「記録媒体」に相当する。なお、当該ＤＶＤディスクに複数の画像（タイトル、チャプタ）が記録されていることは、上記「３．イ．」（例えば【００１７】の記載）から明らかである。
　また、引用例１の図１を参酌すると、「ドライバ部、バッファ、デコーダ部、映像Ｄ／Ａ、表示装置、音声Ｄ／Ａ、スピーカ」等は、本願発明の「再生部」に相当するといえる。
　また、引用例１の図１，３，４及びその説明箇所を参酌すると、引例発明１の「システム制御部」は、タグで区別される各タイトルについて、主に「デコーダ部、ＲＡＭ４、ＲＯＭ（選択画面表示プログラム，ＯＳＤデータ）、ＲＡＭ１３（アドレスデータ領域，ＯＳＤワーク領域）」を用いて「タイトルが有する各チャプタの開始画面が縮小された小画面が配置され」る選択画面を作成するから、本願発明の「制御部」が、「複数のチャプタの縮小画を同一画面内に表示するチャプタ選択画面のデータを作成するよう前記データ作成部を制御し」に相当する要件を備えている。すなわち、引例発明１の「カーソル釦」「決定釦」「ユーザインタフェース部」は、本願発明の「選択部」「決定部」「ユーザインタフェース部」に相当する。
　また、引用発明１においては、「ユーザがカーソル釦を押して数字ｎのあるタグ、すなわちｎ番目のタイトルを選択した場合、そのタイトルの各チャプタの小画面がそれぞれの位置に置かれ」るから、本願発明の「１つのタイトルの選択が」「された場合、（当該）タイトルの有する複数のチャプタの縮小画を表示する前記チャプタ選択画面を表示するよう制御する」に相当する要件を備えている。
　
　したがって、本願発明と引用発明１は次の点で一致する。
　
＜一致点＞
「記録媒体に記録された複数の画像を再生する再生部と、
　前記再生部で再生された複数の画像より、複数の縮小画を同一画面内に表示するデータを作成するデータ作成部と、
　複数の縮小画より選択を行う選択部又は選択の決定を行う決定部より入力された情報を受信するユーザインタフェース部と、
　前記再生部及び前記データ作成部を制御する制御部と、を有し、
　前記記録媒体には複数のタイトルが記録されており、前記タイトルは複数のチャプタを有し、
　前記制御部は、複数のチャプタの縮小画を同一画面内に表示するチャプタ選択画面のデータを作成するよう前記データ作成部を制御し、
　前記制御部は、１つのタイトルの選択がされた場合、（当該）タイトルの有する複数のチャプタの縮小画を表示する前記チャプタ選択画面を表示するよう制御する、情報再生装置。」
　
　一方、次の点で相違する。
　
＜相違点１＞
  本願発明は、複数のタイトルの縮小画を同一画面内に表示するタイトル選択画面のデータを作成するようデータ作成部を制御するものであるのに対し、引用発明１は、チャプタの縮小画を表示するものである点
＜相違点２＞
　本願発明は、タイトル選択画面において、１つのタイトルが選択部により選択された後、所定時間経過した場合、ユーザインタフェース部に、複数の縮小画より選択を行う選択部又は選択の決定を行う決定部より入力された情報の受信が無くとも、選択された１つのタイトルを自動的に縮小画のまま動画再生するよう制御するものであるのに対し、引用発明１には、そのような特定がない点
＜相違点３＞
　本願発明は、選択されたタイトルを音声付きの通常再生で動画再生するものであるのに対し、引用発明１には、そのような特定がない点
＜相違点４＞
　本願発明は、タイトルの選択が決定部により決定されるのに対し、引用発明１は、リモコンのカーソル釦によりタグを選択することでタイトルを選択するようにされている点。
　
５．当審の判断
　上記相違点について判断する。
（相違点１について）
　再生可能な複数のタイトルが存在する場合に、これらの縮小画を同一画面内に表示することは、引用例２に記載されている（上記「３．オ，ケ．」や図１０等）。そして、引用例１には、記録媒体に記録された複数のチャプタの縮小画を同一画面内に表示して、当該記録媒体に記録された画像の選択と決定を容易にすることが記載されているから、かかる「チャプタ」の１つ上位の階層関係にあると言える「タイトル」について、同様に、「記録媒体に記録された複数のタイトルの縮小画を同一画面内に表示」することは、当業者が容易に想到しうるものである。
（相違点２について）
　引用例２には、「早送り操作が行なわれなくても、オールディスクダイジェスト表示を行なって所定時間経過したら自動的にステップF402からの処理に進むようにしてもよい。・・・ステップF408に進んで、そのディスクからのデータ読取を実行する。このデータ読取は早送り再生の処理となる。（上記「３．ケ．」）」ないし「ダイジェスト映像出力は、それを求める操作がなされた時点に行なうだけでなく、所定時間以上にわたって再生などの何らかの動作が行なわれなかった時点に行なうようにしているため、この場合ユーザーは自動的に実行されたダイジェスト映像を見ながら操作を行なうことができる。（上記「３．サ．」）」と記載されている。すなわち、引用例２には本願発明の「制御部は、タイトル選択画面において、１つのタイトルが選択部により選択された後、所定時間経過した場合、ユーザインタフェース部に情報の受信が無くとも、選択された前記１つのタイトルを自動的に縮小画のまま動画再生する」ことと同等の技術事項が記載されているといえる。そして、引用例２の装置がかかる技術事項を備えるのは、「特にダイジェスト操作を行わなくてもディスク内容を確認できる（段落【０２００】）」ようにするためであること、すなわちユーザの操作性を向上するという当該技術分野における周知の技術課題を解決するものと認められるから、引用発明１の代表小画面の表示制御に、引用例２の技術を採用することは当業者が適宜なしうるものである。
（相違点３について）
（イ）記録媒体に記録された動画を再生する場合、「音声付きの通常（速度）再生」は、最も基本的な再生動作であり、動画の再生が可能な情報再生装置であれば当然に備える機能であること、（ロ）引用例２（上記「３．サ．」）には、映像（動画）の早送り再生速度をユーザが変更できるようにしてもよい旨の記載があること、（ハ）引用発明１において、記録媒体に記録された動画の内容の確認を急ぐべき特段の理由（音声付きの通常再生を避ける理由）はみあたらないこと、から、選択されたタイトルを「音声付きの通常再生で動画再生」とすることは、当業者が適宜なしうることである。
（相違点４について）
　引用例１に記載された装置においても、使用されるリモコンには、本願発明の選択部に相当するカーソル釦と、本願発明の決定部に相当する決定釦を有しており、現に、特定チャプタの再生ではカーソル釦と決定釦の操作を必要としているのであるから、特定のタイトルを表示させるための操作として、単にカーソルを所望のタグに移動させることで当該タグに属するタイトルを表示させる操作に代えて、カーソルの移動後に決定釦を操作するようにすることは、当業者であれば適宜なしうることにすぎない。
　
　そして、上記各相違点を総合的に判断しても、本願発明が奏する効果は、引用例１及び２に記載された発明及び周知技術から当業者が十分予測できたものであって格別のものとはいえない。
　
６．むすび
　以上のとおり、本願発明は、引用例１及び引用例２に記載された発明に基づいて当業者が容易に発明をすることができたものであるから、特許法第２９条第２項の規定により特許を受けることができない。
　したがって、本願は、請求項２について論及するまでもなく拒絶すべきものである。
　よって、結論のとおり審決する。